(57)【要約】【課題】  １つのネットワークカードを用いて有線ネットワーク及び無線ネットワークを同時に接続する有線／無線データインタフェース方法及び装置を提供する。【解決手段】  有線データ及び無線データのインタフェースのために有線ネットワーク及び無線ネットワークの接続要求が混在しているか否かを判断する段階（第１０段階），有線ネットワーク及び無線ネットワークの接続要求が混在していると判断されれば，有線データ及び無線データのインタフェースのための有線／無線ネットワークモードで動作する段階（第１２段階），有線データ及び無線データをインタフェースする段階（第１４段階）を備えるインタフェース。インタフェース【選択図】    図１
2005018781.tif 000002
【特許請求の範囲】
【請求項１】
有線ネットワークを通じて転送される有線データまたは無線ネットワークを通じて転送される無線データに対して，ネットワーク電子機器で行われる有線／無線データインタフェース方法において，
（ａ）  前記有線データ及び前記無線データのインタフェースのために前記有線ネットワーク及び前記無線ネットワークの接続要求が混在しているか否かを判断する段階と，
（ｂ）  前記有線ネットワーク及び前記無線ネットワークの接続要求が混在していると判断されれば，前記有線データ及び前記無線データのインタフェースのための有線／無線ネットワークモードで動作する段階と，
（ｃ）  前記有線データ及び前記無線データをインタフェースする段階と，を備えることを特徴とする，有線／無線データインタフェース方法。
【請求項２】
前記有線／無線データインタフェース方法は，
（ｄ）  前記有線ネットワーク及び前記無線ネットワークの接続要求が混在していないと判断されれば，前記有線データまたは前記無線データのうち何れか１つのデータをインタフェースするための有線ネットワークモードまたは無線ネットワークモードで動作する段階と，
（ｅ）  前記有線データまたは前記無線データをインタフェースする段階と，を備えることを特徴とする，請求項１に記載の有線／無線データインタフェース方法。
【請求項３】
前記（ｂ）段階は，
前記有線／無線ネットワークモードで動作する時，無線ネットワークモードのうちアドホックモードで動作することを特徴とする，請求項１または２のいずれかに記載の有線／無線データインタフェース方法。
【請求項４】
前記（ｃ）段階は，
（ｃ１）  前記有線ネットワーク及び前記無線ネットワークを通じて転送された前記有線データ及び前記無線データを所定の保存空間に保存する段階と，
（ｃ２）  前記保存空間に保存された前記有線データ及び前記無線データを順次に前記ネットワーク電子機器の所定の機能を行う動作実行部に転送する段階と，を備えることを特徴とする，請求項１〜３のいずれかに記載の有線／無線データインタフェース方法。
【請求項５】
前記（ｃ２）段階は，
前記有線データ及び前記無線データを転送する時，直接メモリアクセス方式で転送することを特徴とする，請求項４に記載の有線／無線データインタフェース方法。
【請求項６】
有線ネットワークまたは無線ネットワークを通じて転送される有線データまたは無線データを受信するネットワーク電子機器に含まれる有線／無線データインタフェース装置において，
前記有線ネットワークを通じて前記ネットワーク電子機器と他のネットワーク電子機器とを連結する有線インタフェース部と，
前記無線ネットワークを通じて前記ネットワーク電子機器と前記他のネットワーク電子機器とを連結する無線インタフェース部と，
前記有線データ及び前記無線データを，前記有線データ及び前記無線データのインタフェースのための有線／無線ネットワークモードにより転送すべく制御するネットワーク制御部と，
前記有線ネットワーク及び前記無線ネットワークを通じて入力された前記有線データ及び前記無線データを保存するデータ保存部と，を備えることを特徴とする有線／無線データインタフェース装置。
【請求項７】
前記有線／無線データインタフェース装置は，
前記有線インタフェース部と前記無線インタフェース部とが同じネットワークアドレスにより動作することを特徴とする，請求項６に記載の有線／無線データインタフェース装置。
【請求項８】
前記有線／無線データインタフェース装置は，
前記ネットワークアドレスが同じＭＡＣアドレス及び同じＩＰアドレスであることを特徴とする，請求項７に記載の有線／無線データインタフェース装置。
【請求項９】
前記ネットワーク制御部は，
前記有線ネットワーク及び前記無線ネットワークの混在のための接続要求信号を感知するか，前記有線ネットワークまたは前記無線ネットワークのうち何れか１つのネットワーク接続に対する接続要求信号を感知する要求信号感知部と，
前記有線データ及び前記無線データのインタフェースのための有線／無線ネットワークモードで動作するか，前記有線データまたは前記無線データのうち何れか１つをインタフェースするための有線ネットワークモードまたは無線ネットワークモードで動作するネットワークモード動作部と，
前記データ保存部に保存された前記有線データ及び前記無線データを順次に前記ネットワーク電子機器の所定の機能を行う動作実行部に転送するデータ転送部と，を備えることを特徴とする，請求項６〜８のいずれかに記載の有線／無線データインタフェース装置。
【請求項１０】
前記ネットワークモード動作部は，
前記有線／無線ネットワークモードで動作する時，無線ネットワークモードのうちアドホックモードで動作することを特徴とする，請求項９に記載の有線／無線データインタフェース装置。
【請求項１１】
前記データ転送部は，
前記有線データ及び前記無線データを直接メモリアクセス方式で転送することを特徴とする，請求項９または１０のいずれかに記載の有線／無線データインタフェース装置。
【発明の詳細な説明】
【技術分野】
【０００１】
本発明はコンピュータ，プリンタまたは複合機などを含むネットワーク電子機器間でのデータのインタフェースに係り，より詳細には，有線ネットワーク及び無線ネットワークの有線／無線のための接続に関する有線／無線データインタフェース方法及び装置に関する。
【背景技術】
【０００２】
従来の無線ネットワークを説明すれば，ケーブルなどの物理的な媒体を用いて通信をする有線通信と異なり，さまざまな無線通信手段が提供される。無線通信手段には，例えば無線近距離通信網（ＷＬＡＮ：Ｗｉｒｅｌｅｓｓ  Ｌｏｃａｌ  Ａｒｅａ  Ｎｅｔｗｏｒｋ，以下，無線ＬＡＮと称する），Ｂｌｕｅｔｏｏｔｈ，赤外線データ通信（ＩｒＤＡ：Ｉｎｆｒａｒｅｄ  Ｄａｔａ  Ａｓｓｏｃｉａｔｉｏｎ）などがある。特に，無線ＬＡＮによるネットワークは２つの方式で行われる。第１の方式は，無線ＬＡＮカードが各々備えられたネットワーク電子機器がネットワークを構築する場合であって，アドホックモード利用した無線ネットワークである。アドホックモードを利用した無線ネットワークは，Ｐ２Ｐ（Ｐｅｅｒ−ｔｏ−Ｐｅｅｒ）方式によって無線ネットワークを構築する。第２の方式は，アクセスポイントを使用して無線ネットワークを構築する場合であって，インフラストラクチャーモードによる無線ネットワークである。インフラストラクチャーモードは，既存の有線ＬＡＮと並行して，アクセスポイントを用いて無線ネットワークを可能にする。
【０００３】
従来のネットワーク電子機器は，無線ネットワークと有線ネットワークとの同時接続のために無線ネットワークカードと有線ネットワークカードとを何れも備えるか，あるいは無線ネットワークカードと有線ネットワークカード兼用の有線／無線ネットワークカードを備えなければならない。
【０００４】
ところで，無線ネットワークカードと有線ネットワークカードとを何れも備える場合には，無線ネットワークカードと有線ネットワークカードとのそれぞれに対するＭＡＣ（Ｍｅｄｉａ  Ａｃｃｅｓｓ  Ｃｏｎｔｒｏｌ）アドレスを管理しなければならず，インターネットを用いるために無線ネットワークカードと有線ネットワークカードとのそれぞれにＩＰアドレスを割り当てる煩わしさがある。さらに，無線ネットワークカードと有線ネットワークカードとを何れも備えなければならないので，コスト高となる問題点がある。
【０００５】
一方，無線ネットワークカードと有線ネットワークカード兼用の有線／無線ネットワークカードを備える場合には，１つのＭＡＣアドレスと１つのＩＰアドレスにより有線または無線ネットワーク接続が可能である。しかし，有線／無線ネットワークカードを用いて有線ネットワークのためのモードに設定した場合には，無線ネットワークの接続ができなくなり，無線ネットワークのためのモードに設定した場合には，有線ネットワークの接続ができなくなる。したがって，有線／無線ネットワークカードは，有線ネットワークと無線ネットワークとの同時接続ができないという問題点があった。
【０００６】
【特許文献１】特開平５−２０４５６２号公報
【発明の開示】
【発明が解決しようとする課題】
【０００７】
そこで，本発明は，このような問題に鑑みてなされたもので，その目的とするところは，１つのネットワークカードを用いて有線ネットワーク及び無線ネットワークを混在して接続することができる，新規かつ改良された，有線／無線データインタフェース方法および有線／無線データインタフェース装置を提供することにある。
【課題を解決するための手段】
【０００８】
上記課題を解決するために，本発明のある観点によれば，有線ネットワークを通じて転送される有線データまたは無線ネットワークを通じて転送される無線データに対して，ネットワーク電子機器で行われる有線／無線データインタフェース方法において，以下の（ａ）〜（ｃ）段階の方法が提供される。
【０００９】
（ａ）  前記有線データ及び前記無線データのインタフェースのために前記有線ネットワーク及び前記無線ネットワークの接続要求が混在しているか否かを判断する段階と，
（ｂ）  前記有線ネットワーク及び前記無線ネットワークの接続要求が混在していると判断されれば，前記有線データ及び前記無線データのインタフェースのための有線／無線ネットワークモードで動作する段階と，
（ｃ）  前記有線データ及び前記無線データをインタフェースする段階。
【００１０】
また，上記有線／無線データインタフェース方法は，以下の（ｄ）および（ｅ）段階を備えてもよい。
【００１１】
（ｄ）  前記有線ネットワーク及び前記無線ネットワークの接続要求が混在していないと判断されれば，前記有線データまたは前記無線データのうち何れか１つのデータをインタフェースするための有線ネットワークモードまたは無線ネットワークモードで動作する段階と，
（ｅ）  前記有線データまたは前記無線データをインタフェースする段階。
【００１２】
上記（ｂ）段階は，上記有線／無線ネットワークモードで動作する時，無線ネットワークモードのうちアドホックモードで動作してもよい。また，上記（ｃ）段階は，以下の（ｃ１）および（ｃ２）段階を備えてもよい。
【００１３】
（ｃ１）  前記有線ネットワーク及び前記無線ネットワークを通じて転送された前記有線データ及び前記無線データを所定の保存空間に保存する段階と，
（ｃ２）  前記保存空間に保存された前記有線データ及び前記無線データを順次に前記ネットワーク電子機器の所定の機能を行う動作実行部に転送する段階。
【００１４】
上記（ｃ２）段階は，上記有線データ及び上記無線データを転送する時，直接メモリアクセス方式で転送してもよい。
【００１５】
上記課題を解決するために，本発明の別の観点によれば，有線ネットワークまたは無線ネットワークを通じて転送される有線データまたは無線データを受信するネットワーク電子機器に含まれる有線／無線データインタフェース装置において，上記有線ネットワークを通じて上記ネットワーク電子機器と他のネットワーク電子機器とを連結する有線インタフェース部と，上記無線ネットワークを通じて上記ネットワーク電子機器と他のネットワーク電子機器とを連結する無線インタフェース部と，上記有線データ及び前記無線データを，上記有線データ及び上記無線データのインタフェースのための有線／無線ネットワークモードにより転送すべく制御するネットワーク制御部と，上記有線ネットワーク及び上記無線ネットワークを通じて入力された上記有線データ及び上記無線データを保存するデータ保存部と，を備えることを特徴とする有線／無線データインタフェース装置が提供される。
【００１６】
上記有線／無線データインタフェース装置は，上記有線インタフェース部と上記無線インタフェース部とが同じネットワークアドレスにより動作してもよい。また，上記有線／無線データインタフェース装置は，上記ネットワークアドレスが同じＭＡＣアドレス及び同じＩＰアドレスでもよい。
【００１７】
上記ネットワーク制御部は，上記有線ネットワーク及び上記無線ネットワークの混在のための接続要求信号を感知するか，上記有線ネットワークまたは上記無線ネットワークのうち何れか１つのネットワーク接続に対する接続要求信号を感知する要求信号感知部と，上記有線データ及び上記無線データのインタフェースのための有線／無線ネットワークモードで動作するか，上記有線データまたは上記無線データのうち何れか１つをインタフェースするための有線ネットワークモードまたは無線ネットワークモードで動作するネットワークモード動作部と，上記データ保存部に保存された上記有線データ及び上記無線データを順次に上記ネットワーク電子機器の所定の機能を行う動作実行部に転送するデータ転送部と，を備えてもよい。
【００１８】
上記ネットワークモード動作部は，上記有線／無線ネットワークモードで動作する時，無線ネットワークモードのうちアドホックモードで動作してもよい。また，上記データ転送部は，上記有線データ及び上記無線データを直接メモリアクセス方式で転送してもよい。
【発明の効果】
【００１９】
以上説明したように本発明によれば，インタフェース１つのネットワークカードを用いて有線ネットワーク及び無線ネットワークを同時に接続することによって，ネットワーク電子機器において，１のネットワークアドレスだけでも有線データ及び無線データのインタフェースを可能にする，有線／無線データインタフェース方法及び有線／無線データインタフェース装置を提供できる。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
インタフェース  図１は，本実施形態に係る有線／無線データインタフェース方法を説明するための一実施形態のフローチャートである。有線ネットワーク及び無線ネットワークの接続要求が混在しているか否かによって，有線データ及び無線データをインタフェースする段階（第１０〜第１８段階）よりなる。
【００２２】
まず，有線データ及び無線データのインタフェースのために有線ネットワーク及び無線ネットワークの接続要求が混在しているか否かを判断する（第１０段階）。有線ネットワーク及び無線ネットワークの混在接続に対する要求は，ネットワーク管理プログラムの駆動を通じたユーザまたはネットワーク管理者の選択により要求される。ネットワーク管理プログラムが駆動されれば，ユーザまたはネットワーク管理者により有線ネットワーク及び無線ネットワークの混在接続のためのネットワーク電子機器が指定される。その後，ユーザまたはネットワーク管理者は，指定されたネットワーク電子機器に対して有線ネットワーク及び無線ネットワークの混在接続を要求するか否かを決定する。ユーザまたはネットワーク管理者は，混在接続を決定する過程に無線ネットワークのためのサービスセットＩＤ（ＳＳＩＤ：Ｓｅｒｖｉｃｅ  Ｓｅｔ  Ｉｄｅｎｔｉｆｉｃａｔｉｏｎ）を与える。ユーザにより決定された同時接続要求に対する結果は，指定されたネットワーク電子機器に転送される。転送された結果は，有線ネットワーク及び無線ネットワークの混在接続の要否を決定する判断資料となる。例えば，ネットワーク電子機器に該当するプリンタが，コンピュータから転送された有線ネットワーク及び無線ネットワークの混在接続要求を判断する。
【００２３】
もし，有線ネットワーク及び無線ネットワークの混在のための接続が要求されていると判断されれば，有線データ及び無線データのインタフェースのための有線／無線ネットワークモードで動作する（第１２段階）。有線／無線ネットワークモードは，有線ネットワークを通じて有線データをインタフェースし，これと共に無線ネットワークを通じて無線データをインタフェースするためのネットワーク制御モードである。ネットワーク電子機器は，有線／無線ネットワークモードで動作するために有線ＬＡＮによるネットワーク環境と無線ＬＡＮによるネットワーク環境とが備えられるべきである。このために，ネットワーク電子機器は，有線ネットワーク及び無線ネットワークの混在接続を行う有線／無線データインタフェース装置，すなわち有線／無線ネットワークカードを備える。無線ＬＡＮによるネットワーク環境は，アドホックモードに設定されることを特徴とする。混在接続を行う有線／無線ネットワークカードは１つのＭＡＣアドレスとＩＰアドレスとを有する。アドホックモードによる無線ネットワークは前述したようにＰ２Ｐ方式による無線ネットワークを構築する場合である。同じＭＡＣアドレスとＩＰアドレスとを用いて有線ネットワーク及び無線ネットワークの環境を形成する。
【００２４】
第１２段階後に，有線データ及び無線データをインタフェースする（第１４段階）。有線／無線ネットワークモードで動作することによって，有線データは有線ネットワークを通じてインタフェースされ，無線データは無線ネットワークを通じてインタフェースされる。
【００２５】
図２は，図１に示された第１４段階を説明するための一実施形態（１４Ａ）のフローチャートであって，所定の保存空間に保存された有線データ及び無線データを順次に動作実行部に転送する段階（第３０及び第３２段階）よりなる。動作実行部はネットワーク電子機器の所定の機能を行う手段である。例えば，ネットワーク電子機器がプリンタである場合，動作実行部はプリンタの印刷を行う手段である。また，ネットワーク電子機器がスキャナーである場合，動作実行部は画像をスキャンする手段である。また，ネットワーク電子機器が一般のコンピュータである場合，動作実行部はデータに対して算術演算と論理演算などのデータ処理を行う手段である。
【００２６】
まず，有線ネットワーク及び無線ネットワークを通じて転送された有線データ及び無線データを，所定の保存空間に保存する（第３０段階）。有線ネットワーク及び無線ネットワークを通じて転送される有線データ及び無線データは，一次的に所定の保存空間に保存される。所定の保存空間の例としてＤＲＡＭ（Ｄｙｎａｍｉｃ  Ｒａｎｄｏｍ  Ａｃｃｅｓｓ  Ｍｅｍｏｒｙ）が用いられる。所定の保存空間は，有線データ及び無線データを何れも収容できるほどの十分に大きなメモリ容量を確保することが望ましい。
【００２７】
第３０段階後に，所定の保存空間に保存された有線データ及び無線データを順次に動作実行部に転送する（第３２段階）。有線データ及び無線データは，先に所定の保存空間に保存されたデータから動作実行部に転送される。すなわち，有線データが，先に所定の保存空間に保存されてから無線データが保存されたとすれば，有線データが先に動作実行部に転送されてから無線データが動作実行部に転送される。有線データ及び無線データが転送される時，直接メモリアクセス（ＤＭＡ：Ｄｉｒｅｃｔ  Ｍｅｍｏｒｙ  Ａｃｃｅｓｓ）方式で転送されることを特徴とする。直接メモリアクセス方式とは，データ転送が所定の保存空間と動作実行部間で直接行なわれ，ＣＰＵを通じない方式で，高速でデータ転送がなされる長所がある。
【００２８】
一方，図１に戻り，有線ネットワーク及び無線ネットワークの混在のための接続が要求されていないと判断されれば，有線データまたは無線データのうち何れか１つのデータをインタフェースするための有線ネットワークモードまたは無線ネットワークモードで動作する（第１６段階）。混在のための接続が要求されていないということは，有線ネットワークまたは無線ネットワークのうち何れか１つのネットワークを通じてのみデータをインタフェースすることを要求するものである。したがって，有線ネットワークによる接続が要求されれば，有線ネットワークモードで動作し，無線ネットワークによる接続が要求されれば，無線ネットワークモードで動作する。
【００２９】
第１６段階後に，有線データまたは無線データをインタフェースする（第１８段階）。有線ネットワークモードで動作することによって，有線ネットワークを通じて有線データが転送されれば，前述した所定の保存空間に有線データが保存されていて動作実行部に転送される。同様に，無線ネットワークモードで動作することによって，無線ネットワークを通じて無線データが転送されれば，前述した所定の保存空間に無線データが保存されていて動作実行部に転送される。
【００３０】
以下，本実施形態による有線／無線データインタフェース装置について，図３に基づいて説明する。
【００３１】
図３は，本実施形態による有線／無線データインタフェース装置を説明するための一実施形態のブロック図でる。有線インタフェース部１００，無線インタフェース部１２０，ネットワーク制御部１４０，データ保存部１６０及び動作実行部１８０で構成される。
【００３２】
有線インタフェース部１００は，有線ネットワークを通じてネットワーク電子機器と他のネットワーク電子機器とを連結する。有線インタフェース部１００は，有線ネットワークを通じて入力端子ＩＮ１/出力端子ＯＵＴ１に/から入力/出力される有線データをネットワーク電子機器間でインタフェースする。
【００３３】
無線インタフェース部１２０は，無線ネットワークを通じてネットワーク電子機器と他のネットワーク電子機器とを連結する。無線インタフェース部１２０は，無線ネットワークを通じて入力端子ＩＮ２/出力端子ＯＵＴ２に/から入力/出力される無線データをネットワーク電子機器間でインタフェースする。
【００３４】
前述した有線インタフェース部１００及び無線インタフェース部１２０は，同じネットワークアドレスにより動作することを特徴とする。すなわち，有線インタフェース部１００及び無線インタフェース部１２０は同じＭＡＣアドレスまたは同じＩＰアドレスを共有することによって，１のＭＡＣアドレス及びＩＰアドレスを有しても有線ネットワークと無線ネットワークとの混在のための接続を可能にする。
【００３５】
ネットワーク制御部１４０は，有線データまたは無線データを有線／無線ネットワークモードにより動作実行部１８０に転送すべく制御する。ネットワーク制御部１４０は，有線インタフェース部１００及び無線インタフェース部１２０から入力された有線データ及び無線データをデータ保存部１６０に保存し，動作実行部１８０に有線データ及び無線データを順次に転送すべく制御する。
【００３６】
図４は，図３に示されたネットワーク制御部１４０を説明するための一実施形態１４０Ａのブロック図である。図４に示したように，ネットワーク制御部１４０は，要求信号感知部２００，ネットワークモード動作部２２０及びデータ転送部２４０で構成される。
【００３７】
要求信号感知部２００は，有線ネットワーク及び無線ネットワークの混在のための接続要求信号を感知するか，有線ネットワークまたは無線ネットワークのうち何れか１つのネットワーク接続に対する接続要求信号を感知する。混在のための接続要求信号は，有線ネットワーク及び無線ネットワークを通じて入力される。要求信号感知部２００は，入力端子ＩＮ３を通じて入力された有線ネットワーク及び無線ネットワークの混在のための接続要求信号を感知し，感知した結果をネットワークモード動作部２２０に出力する。また，要求信号感知部２００は，入力端子ＩＮ３を通じて入力された有線ネットワークまたは無線ネットワークのうち何れか１つのネットワーク接続に対する要求信号を感知し，感知した結果をネットワークモード動作部２２０に出力する。
【００３８】
ネットワークモード動作部２２０は，有線データ及び無線データのインタフェースのための有線／無線ネットワークモードで動作するか，有線データまたは無線データのうち何れか１つをインタフェースするための有線ネットワークモードまたは無線ネットワークモードで動作する。ネットワークモード動作部２２０は，要求信号感知部２００から入力された混在のための接続要求信号に応答し，ネットワーク電子機器に対して有線データ及び無線データのインタフェースのための有線／無線ネットワークモードで動作し，有線／無線ネットワークモードの第１動作信号をデータ転送部２４０に出力する。第１動作信号により，ネットワーク電子機器は，有線ネットワーク及び無線ネットワークを通じて有線データ及び無線データをインタフェースできる環境を整えることになる。ネットワークモード動作部２２０は有線／無線ネットワークモードで動作する時，無線ネットワークモードのうちアドホックモードで動作することを特徴とする。
【００３９】
一方，ネットワークモード動作部２２０は，要求信号感知部２００から入力された１つのネットワーク接続に対する接続要求信号に応答し，有線データまたは無線データのうち何れか１つのデータをインタフェースするための有線ネットワークモードまたは無線ネットワークモードで動作し，有線ネットワークモードまたは無線ネットワークモードの第２動作信号をデータ転送部２４０に出力する。第２動作信号が有線ネットワークモードに対する動作信号であれば，ネットワーク電子機器は有線ネットワークを通じて有線データをインタフェースできる環境を整えることになる。一方，第２動作信号が無線ネットワークモードに対する動作信号であれば，ネットワーク電子機器は無線ネットワークを通じて無線データをインタフェースできる環境を整えることになる。
【００４０】
データ転送部２４０は，データ保存部１６０に保存された有線データ及び無線データを，順次に動作実行部１８０に転送する。データ転送部２４０は，第１動作信号に応答し，出力端子ＯＵＴ３を通じて有線データ及び無線データをデータ保存部１６０に要求する。データ転送部２４０は，要求した有線データ及び無線データを入力端子ＩＮ４から受信し，出力端子ＯＵＴ４から出力する。有線データ及び無線データはデータ保存部１６０への保存順序によって順次に引き出され，動作実行部１８０に転送される。データ転送部２４０は，有線データ及び無線データを直接メモリアクセス方式で転送することを特徴とする。また，データ転送部２４０は，第２動作信号に応答して，出力端子ＯＵＴ３を通じて有線データまたは無線データをデータ保存部１６０に要求する。データ転送部２４０は，要求した有線データまたは無線データを，入力端子ＩＮ４から受信し，出力端子ＯＵＴ４から出力する。
【００４１】
データ保存部１６０は，有線ネットワーク及び無線ネットワークを通じて入力された有線データ及び無線データを保存する。データ保存部１６０は，入力された有線データ及び無線データを，ＤＲＡＭなどの所定の保存空間に保存する。また，データ保存部１６０はデータ転送部２４０のデータ要求信号に応答し，保存された有線データ及び無線データを順次に動作実行部１８０に出力する。
【００４２】
動作実行部１８０は，前述したように，ネットワーク電子機器の所定の機能を行う手段である。例えば，動作実行部１８０はプリンタにおいて印刷を行う手段でも，スキャナーにおいて画像をスキャンする手段でも，一般のコンピュータにおいてデータ処理を行う手段でも有り得る。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本発明は，有線ネットワーク及び無線ネットワークの混在接続によってデータをインタフェースするための有線／無線データインタフェース方法及び有線／無線データインタフェース装置であって，コンピュータ，プリンタまたは複合機などを含むネットワーク電子機器に好適に適用されうる。
【図面の簡単な説明】
【００４５】
【図１】本発明による有線／無線データインタフェース方法を説明するための一実施形態のフローチャートである。
【図２】図１に示された第１４段階を説明するための一実施形態のフローチャートである。
【図３】本発明による有線／無線データインタフェース装置を説明するための一実施形態のブロック図である。
【図４】図３に示されたネットワーク制御部を説明するための一実施形態のブロック図である。
【符号の説明】
【００４６】
１００      有線インタフェース部
１２０      無線インタフェース部
１４０      ネットワーク制御部
１６０      データ保存部
１８０      動作実行部
２００      要求信号感知部
２２０      ネットワーク動作部
２４０      データ転送部
【図１】
2005018781.tif 000003
【図２】
2005018781.tif 000004
【図３】
2005018781.tif 000005
【図４】
2005018781.tif 000006